(57)【特許請求の範囲】
【請求項１】
中央で折り曲げられた印刷された１つのシート（１）から少なくとも形成されている少なくとも１つの折り丁（３、４、５）を含む新聞（７、８、９）を作製する方法であって、
ａ）新聞（７、８、９）の個々の折り丁（３、４、５）を形成するための連続的に印刷された個々のシート（１）を第１の収集ステーション（１０）に連続的に送給し、１つの共通の折り丁（３、４、５）に割り当てられている該シート（１）を互いに重ねて配置し、シート積重体（２）を形成するステップと、
ｂ）前記第１の収集ステーション（１０）から完成した前記シート積重体（２）を運び去り、先行するシート積重体（２）を前記第１の収集ステーション（１０）から運び去る間に又は先行するシート積重体（２）を前記第１の収集ステーション（１０）から運び去った後に、別の折り丁（３、４、５）の最初のシート（１）を前記第１の収集ステーション（１０）に送給するステップと、
ｃ）折り畳まれた折り丁（３、４、５）を作製するために、完成した前記シート積重体（２）を折り畳むステップと、
ｄ）既に重ね置かれた折り畳まれた折り丁（３、４、５）上に前記折り畳まれた折り丁（３、４、５）が載置されるように、第２の収集ステーション（１２）において折り畳まれた折り丁（３、４、５）を置くステップと、
ｅ）新聞（７、８、９）の全ての折り丁（３、４、５）が完全に揃い、相互に重ねて配置されて折り丁積重体（１５）を形成するまで、ａ）からｄ）までのステップを繰り返すステップと、
を有している新聞を作製する方法。
【請求項２】
前記新聞（７、８、９）の前記個々の折り丁（３、４、５）を形成するための前記シートが、ディジタル印刷機によって連続的に印刷され、前記第１の収集ステーション（１０）に送給される、請求項１に記載の新聞を作製する方法。
【請求項３】
完成した前記折り丁積重体（１５）が中央で折り曲げられている、請求項１又は請求項２に記載の新聞を作製する方法。
【請求項４】
前記シート積重体（２）の前記シート（１）は、運び去るために、互いに解放可能に結合されている、請求項１から請求項３の何れか一項に記載の新聞を作製する方法。
【請求項５】
前記シート積重体（２）の前記シート（１）は、ステープルによって又は針による穿孔によって又は静電帯電によって、互いに解放可能に結合されている、請求項４に記載の新聞を作製する方法。
【請求項６】
少なくとも１つの別の印刷された作製物（６、６′）が前記第２の収集ステーション（１２）に送給され、該第２の収集ステーション（１２）に置かれている折り丁（３、４、５）上に配置される、請求項１から請求項５の何れか一項に記載の新聞を作製する方法。
【請求項７】
前記少なくとも１つの別の印刷された作製物（６、６′）が、予め定められた折り丁（３、４、５）上に載置されるように、送給される、請求項６に記載の新聞を作製する方法。
【請求項８】
幅が４２０ｍｍから５０８ｍｍまで且つ長さが５８０ｍｍから７６０ｍｍまでのシート（１）が処理される、請求項１から請求項７の何れか一項に記載の新聞を作製する方法。
【請求項９】
完成した前記シート積重体（２）は、前記第１の収集ステーション（１０）に送給されるシート（１）の速度よりも大きい速度で、前記第１の収集ステーション（１０）から運び去られる、請求項１から請求項８の何れか一項に記載の新聞を作製する方法。
【請求項１０】
前記シート（１）は、前記第１の収集ステーション（１０）に置かれる前に、減速される、請求項１から請求項９の何れか一項に記載の新聞を作製する方法。
【請求項１１】
完成した前記シート積重体（２）は、前記第１の収集ステーション（１０）から搬出されるときに、折り畳まれている、請求項１から請求項１０の何れか一項に記載の新聞を作製する方法。
【請求項１２】
個々に連続して印刷されたシート（１）を個々に引渡すことができ、１つの共通の折り丁（３，４，５）に割り当てられるシートが各々の場合に重ねて配置されるようにシート積重体（２）を形成する供給及び重置装置（１７）によってシートを重ねて配置できる第１の収集ステーション（１０）であって、シート積重体（２）を運び去るとともに、先行するシート積層体（２）が第１の収集ステーション（１０）から運び去られる間又はその後に次の折り丁（３，４，５）の最初のシート（１）が第１の収集ステーション（１０）に供給されるように制御される移動装置（２０）を有する、シート（１）を収集するために設けられた第１の収集ステーション（１０）と、
折り丁（３，４，５）を形成するために完成したシート積重体（２）を折り畳むための第１の折畳装置（１１）と、
折り丁（３，４，５）を収集するための第２の収集ステーション（１２）と、
を備えた請求項１ないし１１のうちいずれか１項に記載の新聞を作製する方法を実施するための装置。
【請求項１３】
新聞（７、８、９）を形成するためのシート（１）を連続的に印刷するためのディジタル印刷機を備える、請求項１２に記載の新聞を作製する方法を実施するための装置。
【請求項１４】
前記第１の折畳装置（１１）が前記第１の収集ステーション（１０）に一体化されている、請求項１２に記載の新聞を作製する方法を実施するための装置。
【請求項１５】
折り丁積重体（１５）を折り畳むための第２の折畳ステーション（１３）を備える、請求項１２から請求項１４の何れか一項に記載の新聞を作製する方法を実施するための装置。
【請求項１６】
前記送給及び重置装置（１７）は少なくとも１つの受取要素（１９）を備えており、該受取要素（１９）は、少なくとも１つの区分（２５ａ）で直線状になっている連続的な循環経路（２５）に沿って不均一な速度で移動させられ、次に来るシート（１）を受け取ることができ、前記受取要素（１９）の速度は、前記ディジタル印刷機の方を向いた前記区分（２５ａ）の端部においては次に来るシート（１）の速度と実質的に一致しており、下流領域では速度が大きくされ、前記シート（１）が前記第１の収集ステーション（１０）において置かれる領域では再度減速させられる、請求項１３に記載の新聞を作製する方法を実施するための装置。
【請求項１７】
前記受取要素は、把持装置又は吸盤の形態である、請求項１６に記載の新聞を作製する方法を実施するための装置。
【発明の詳細な説明】
【０００１】
【発明の属する技術分野】
本発明は、新聞を作製する方法及びこの方法を実施するための装置に関する。
【０００２】
【従来の技術】
標準的な新聞は、典型的には、一方を他方の内側に重ねて配置されて一緒に中央で一度折り曲げられた複数の折り丁から構成されており、同様に、各折り丁は、上下に重ねて配置され一方を他方の内側に（すなわち、外と内とに）重ねて折り畳まれている個々のシートを含んでいる。束とも呼称される折り丁は、典型的には、印刷量に依存して、２枚から１０枚のシートを含んでいる。さらに、折り丁は、折り丁を作るのに折り曲げられていない半分の大きさのシートを含むこともある。新聞は、一方を他方の内側に重ねて再度折り曲げられた複数の折り丁から形成されている。典型的な日刊新聞の場合には、例えば、最も外側に位置する第１の折り丁は第１面及び国際部分（国際面）を含み、第２の折り丁は地方部分（地方面）を含み、第３の折り丁は金融部分（金融面）など含んでいる。読者は、最初に新聞を広げたときに、全ての折り丁が正しい順番になっていることが分かる。折り丁が広げられると、同様に個々のシート又は頁が正しい順番で配置されている。常に同一基本構成の公知の特定の新聞は、標準的な読者が自分に興味を抱かせる部分（面）を素早く見つけることを可能とさせている。
【０００３】
例外的な場合で、新聞がただ１つの折り丁からなることも可能である。この折り丁は、例えば、外と内とに重ねて２度折り曲げられた複数のシートを含んでいる。
【０００４】
例えば、活版印刷、オフセット印刷及びグラビア印刷といった新聞を作製するための従来の印刷方法の場合、単数又は複数の巻取紙（ｐａｐａｅｒ  ｗｅｂｓ）を複数の印刷ユニットで同時に印刷し、折り曲げて、最終作製物すなわち新聞を形成するために輪転印刷機が使用される。この印刷方法は、先ず、第１頁、第２頁、そして以降の全ての頁を印刷していき、印刷の終了に続いて、それら頁を相互に結合させ、１つの折り丁を形成する又は完全な新聞を形成することによって、所定の数の同一の新聞が印刷されるという意味で、静的な方法である。異なる内容を有した作製物を印刷するためには、印刷機を停止させて、例えば印刷版や版木や印刷シリンダといった印刷の型を変更し、印刷機を再始動させる。
【０００５】
【発明が解決しようとする課題】
このような静的な印刷方法は、経済的に、非常に規模の大きな印刷作業に対してのみ実行可能である。この理由のため、日刊全国紙でさえも１つの中央施設又は少数の中央施設で印刷されて、そこから配送されており、まさに新聞を国外へ運ぶときには長距離を網羅しなくてはならないことが多い。このために必要な輸送時間の結果として、新聞の内容の話題性が落ちてしまう。輸送自体も、人員及びエネルギの点から見て、高い経費を伴う。
【０００６】
例えば、レーザプリンタやインクジェットプリンタといったディジタル印刷機が公知となっており、これらディジタル印刷機では、複数の異なる頁を、順にすなわち次々に、印刷機を停止させる必要なく印刷することができる（動的な印刷方法）。ディジタル印刷機は、現時点では、典型的にはＤＩＮ（ドイツ工業規格）のＡ４判以下の最終形式（フォーマット）を有した最終作製物を作製するために仕様されており、最終作製物は複数のシートを備えており、これら複数のシートは、折り畳まれていないもの又は一度折り曲げられたものであり、印刷が完了した後に、収集され、例えばワイヤーステープリングや接着剤の使用によって互いに結合されている。既知のディジタル印刷された作製物は、その構成及び外見の点からは、現在の従来通りに作製された新聞と比較することができない。
【０００７】
本発明の目的は、地方に分散化した方式でも、その新聞が従来の通りに印刷された新聞と外見の点では差異のなく、簡単に高い費用効果で実施することができる新聞を作製する方法を特定することにある。本発明の目的はさらにこの方法を実施するための装置を特定することにある。
【０００８】
【課題を解決するための手段】
本発明は、請求項１に記載の特徴を有した新聞を作製するための方法及び請求項１１の特徴を有した該方法を実施するための装置によって実現される。上記方法及び装置の有利な発展形態は、従属の請求項、詳細な説明及び図面において説明される。
【０００９】
本発明による方法の場合には、ディジタル印刷機で印刷されたシートは、１回の作業で新聞を形成するように処理され、該作業においては、新聞又は折り丁に属する複数のシートが、次々に連続して印刷され、収集されて、一方を他方の内側に（すなわち、内と外とに）重ねて折り畳むことによって折り丁に形成され、さらに、別の折り丁が、連続して印刷され、収集されて、折り畳まれ、一方を他方の内側に重ねて全ての折り丁を再度折り畳むことによって新聞に形成される。新聞は、本発明にしたがって、以下のステップで作製される。最初に、連続して印刷されたシートを１つずつ連続的に第１の収集ステーションへ送給する。１つの共通する折り丁に割り当てられたシートを互いに上下に重ねて配置し、（収集して、）シート積重体又は折り畳まれていない折り丁を形成する。折り丁の全てのシートが収集されると、完成したシート積重体が第１の収集ステーションから運び去られる。この場合、先行するシート積重体を第１の収集ステーションから運び去る間に又は先行するシート積重体を第１の収集ステーションから運び去った後に、印刷機によって連続的に作製され第１の収集ステーションへ供給された別の折り丁の最初のシートを第１の収集ステーションに送給する。したがって、印刷機は中断することなく連続的に運転することが可能である。次に、完成したシート積重体又は中央での折り曲げを除いて完成した折り丁が、折り丁を完成させるために、中央で折り曲げられる。適切であるならば、同じ新聞に割り当てられた既に重ね置かれた折り丁の上に折り丁が載置されるように、第２の収集ステーションにおいて折り丁が置かれる。適切であるならば、新聞の全ての折り丁が完全に揃い、相互に上下に重ねて配置されて折り丁積重体を形成するまで、送給するステップ、収集するステップ、運び去るステップ、及び折り畳むステップが繰り返される。次に、この折り丁積重体を再度中央で折り曲げることが好ましい。この方法は、次の新聞の作製で中断されることなく継続して行われることが好ましい。
【００１０】
前述の方法のステップにおいて、新聞の個々の折り丁を形成するためのシートがディジタル印刷機によって連続的に印刷されることが有利である。これは、引き続いて、まず最初に、各シートが異なる印刷を有している新聞の複写物を形成するシート全てが次々に印刷されることを意味する。その後、次の新聞複写物のための各シートが印刷される。これは従来の印刷機を使用していれば不可能である。
【００１１】
本発明は、印刷場所において用意されていなければならないちょうどぴったりな数の完成した新聞を典型的な新聞の版（フォーマット）で印刷することを可能にする。ディジタル印刷機が使用されれば、すなわち印刷された内容が電子的に変更されれば、印刷形式（印刷フォーム）を交換するという費用のかかる作業は、完全に排除される。ここで、公知の静的な印刷方法と対比すれば、個々の印刷作業の間で印刷された頁の供給物を保持することが必要とされない場合でもある。完成した新聞の全てのシートは次々に印刷され、その後などに、別の新聞のシートが印刷されることが好ましい。単数又は複数の折り丁が事前に印刷され、今まで欠けていた、時事及び／又は地方の情報を有した折り丁によって、配布の直前にやっと新聞が完成するようにすることも可能である。
【００１２】
本発明による上記の方法を実施するための機器は、シートを収集するために設けられ、個別のシートを送給して重ね置き、シート積重体を形成するための送給及び重置装置を備えた第１の収集ステーションと、シート積重体を運び去るための移動装置とを有している。新聞を形成するためのシートを連続的に印刷するためのディジタル印刷機と、完成したシート積重体を折り畳むための第１の折畳装置と、全ての折り丁を収集するための第２の収集ステーションと、完全な新聞を折り畳むための第２の折り畳みステーションとが設けられることが好ましい。正しい方法の手順は、ソフトウエアによって又は制御ユニットによって又はタイミングマークによって制御されることが好ましい。
【００１３】
ディジタル印刷機が使用されているので、上記機器は、従前の印刷機を使用した新聞を作製するための従前の設備よりも、費用効果が高く、操作及び維持が容易である。必要とされる空間量も低減されている。したがって、中央設備を使用する代わりに、対応する印刷機を備えた複数の係る機器を地方に分散させることが可能であり、結果として配布に関する距離は短くなる。印刷される内容は、電子的に作製拠点に伝達され得る。基本的には、実際の需要に従った新聞のみを作製することも可能である。さらに、顧客の特定の仕様で新聞を統合することが可能である。例えば、特定の折り丁を除外する又は特定の折り丁を地域特定仕様で含めることも可能である。
【００１４】
当該方法の有利な発展形態では、少なくとも１つの別の印刷された作製物、例えば事前に作られた折り丁又は事前に作られた広告が送給装置によって第２の収集ステーションに送給され、第２の収集ステーションに重ね置かれている折り丁上に配置される。別の印刷された作製物がちょうどよい時に重ね置かれる地点は、その別の印刷された作製物が、予め定められた折り丁上に、適切であれば折り丁の予め定められた場所に載置されるように選択されることが好ましい。したがって、新聞内における追加物の位置を折り丁の内容の主題に適合させることが可能である。
【００１５】
本発明の他の利点は、完全な大きさのシートと半分の大きさのシートとを自由選択として備える折り丁を作製することが容易に可能であることである。ディジタル印刷機及び後続の横裁断機は、長さが異なるシートを動的に作製することができる。本発明による第１の収集装置は、人の所望する順番で、完全な大きさのシートと半分の大きさのシートの両方を分裂させることなしに収集して、端縁を真っ直ぐにして積重させることができるように、構成されている。例えば、吸盤又は把持装置は、搬送方向に見たときのシートの前端縁の幅全体に沿って送給されたシートを把持し、その結果、半分のシートでさえも輸送して、正確に整列させて重ね置く。
【００１６】
【発明の実施の形態】
以下で、本発明の例を説明及び例示する。
個々のシート１が、ディジタル印刷機、枚葉印刷機又は巻取印刷機（ここでは図示していない）で印刷され、適切であるならば横に裁断され、第１の収集ステーション１０に収集されて、個々のシート１から構成されるシート積重体２を形成する。印刷は、ＡからＺへの前方向とＺからＡへの後方向との両方向で行われることが可能である。第１の収集ステーション１０では、シート１を受け取り、これを輸送し、一方を他方の上に（すなわち、上下に）正確に重ねて置く。最終的な完成したシート積重体２は第１の折り畳みステーション１１又は第１の折畳装置１１で折り畳まれ、折り丁３を形成する。折り丁３は、第２の収集ステーション１２において、既に印刷が済み折り畳まれた折り丁４、５を含む折り丁積重体１５の上に配置される。第２の収集ステーション１２において、折り丁３、４、５の１つの上の予め定められた場所に既に作製された追加物６を配置するために、追加物用送給装置１４を使用してもよい。新聞７の全ての折り丁３、４、５が収集されると、折り丁積重体１５は、第２の折り畳みステーション又は第２の折畳装置１３において、中央で折り畳まれる。このようにして完成した新聞７、８、９は、例えば瓦状形態で又は積み重ねて、順番に置かれ、移動装置１６によって運び去られる。
【００１７】
図２は、本発明による第１の収集ステーション１０の例を、後続の折り畳みステーション１１と一緒に示している。第１の収集ステーション１０は、大判（大型フォーマット）のディジタル印刷に特に適しており、個々のシート１を送給し、シート積重体２を形成するようにそれらシート１を重ね置くための送給及び重置装置１７と、最終的な完成したシート積重体２を、シート積重体２内の個々のシート１を互いに対して変位させることなく、後続の作業工程すなわち折り畳みステーション１１へ素早く輸送するための移動装置２０とから構成されている。
【００１８】
例えば把持装置又は吸盤といった適した受取要素１９を備えた輸送装置（すなわち、送給及び重置装置１７）は、例えば印刷機や横裁断機といった前の工程から個々のシート１を受け取り、そのシート１を第１の重置位置２４に案内する。この場合、第１の収集ステーション１０におけるシート１の速度は均一ではない。少なくとも１つの区分２５ａにおいて直線状となっている連続的な循環経路２５に沿って移動する受取要素１９は、最初は、前工程の速度と実質的に同一の速度ＶＡで移動する。速度ＶＡは、印刷システムに依存して、５０ｍ／分から１５０ｍ／分の間の速度となり、好ましくは５０ｍ／分から８０ｍ／分の間の速度となる。したがって、やってくる次のシート１は、概略同じ速度で受取要素１９によって受け取られる。シート１は、前の工程を出ると、後続のシートに対するリード距離を獲得するために、速度ＶＢに加速させられる。速度ＶＢは、速度ＶＡの約２倍から３倍であり、１５０ｍ／分から２００ｍ／分の間とすることが好ましい。最終的に、シートは、新聞の薄い紙の端縁がその工程において損傷を受けないようにシート１を注意深く正しい位置に置くために、減速した速度ＶＣで第１の重置位置２４に置かれる。速度ＶＣは、約１２０ｍ／分から１５０ｍ／分までであることが好ましい。搬送速度を可変とすることにより、典型的にはＤＩＮ規格のＡ２判（通常、幅は４２０ｍｍから５０８ｍｍの間で、長さは５８０ｍｍから７６０ｍｍの間）よりも大きな判（フォーマット）である薄い新聞紙の大きなシートを素早く且つ注意深く輸送し、端縁を正確に整列させてシートを積み重ねることを可能とさせている。循環経路２５に沿った受取要素１９の速度が不均一であることは、例えばサーボ駆動装置によって、実現され得る。
【００１９】
上下に重ねて配置された複数のシート１はシート積重体２を形成する。シート積重体２を、後続の作業工程すなわち第１の折畳ステーション１１に運び去るために、シート積重体２の最後のシート１が到着した直後に、最終的な完成したシート積重体２が第１の収集ステーション１０から運び去られる。ここで、運び去る速度は、別のシート積重体の最初に到着するシートと出て行くシート積重体とが第１の収集ステーション１０において互いを混乱させないようにするために、既述した速度ＶＡよりも高くすることが好ましい。移動装置２０は、速度ＶＤで第１の収集ステーション１０からシート積重体全体を輸送する。ここで、移動装置２０は、２つの輸送ベルト又は搬送ベルト２０ａ、２０ｂを備え、これらベルト２０ａ、２０ｂはその間にシート積重体２を受容するための隙間を形成している。あるいはまた、把持装置を使用することも可能である。シート積重体２の個々のシート１は、個々のシートが第１の折畳ステーション１１への輸送の際に互いに対して変位させられ得ないようにするために、移動装置２０、２０′による輸送の直前又はその最中には、一時的に互いに結合されることが好ましい。この一時的な結合は、帯電装置２１による静電帯電によって行われることが好ましい。帯電は、折り畳み工程の際に又はその後に、極めて短い時間で、再度放電させられる。あるいはまた、一緒に輸送されるために、針によってシート積重体の全てのシートを穿孔（「クリンピング」）することも可能である。シートを互いに対して変位、移動させずに、シート積重体２を後続の折畳ユニットへ移送するために、第１の収集ステーション１０のちょうど出口に第１の折畳ステーション１１が配置されることが好ましい。あるいはまた、好ましくはシート積重体に対して中央に配置されたナイフ式折畳装置によって重置位置２４に位置するシート積重体全体をその場で直接に折り畳み、重置位置２４から、例えば上流方向又は下流方向に、運搬することによって、第１の収集ステーション１０内に折畳ステーション１１を一体化することも可能である。
【００２０】
第１の折畳ステーション１１は、例えば、バックル（締め具）ユニット、真空ユニット又はナイフ式折畳ユニットを備えており、最初の２つのユニットを第１の収集ステーション１０に一体化させることも可能である。この場合には、最初に、収集されたシートが第１の収集ステーション１０で折り畳まれ、折り畳まれた状態で第１の収集ステーション１０を出ていくことになる。
【００２１】
図３は第２の収集ステーション１２の領域における本発明による方法の手順を示している。第１の折畳ステーション１１の折畳装置から出てくる折り丁３は、第２の収集ステーション１２内の折り丁積重体１５上に置かれる。個々のシートとして又は同様に折り丁の形態で存在する例えば既に印刷された折り丁又は広告といった予め組み立てられた追加物６、６′が、折り丁積重体１５に制御されて供給されることも可能である。最終的な完成した折り丁積重体１５は、新聞の全ての折り丁３、４、５と、新聞用に考えられる全ての追加物６、６′とを備えている。第２の折畳ステーション１３の折畳装置では、折り丁集積物１５が個々の折り丁３、４、５の折り目に垂直な方向に中心で一度折り曲げられる。その後、完成した新聞７が運び去られることができる。
【図面の簡単な説明】
【図１】本発明による方法の手順を示している。
【図２】第１の収集ステーションの側面図を示している。
【図３】第２の収集ステーションの領域における本発明による方法の手順を示している。
【符号の説明】
１…シート
２…シート積重体
３…折り丁
４…折り丁
５…折り丁
７…新聞
８…新聞
９…新聞
１０…第１の収集ステーション
１１…第１の折畳ステーション
１２…第２の収集ステーション
１３…第２の折畳ステーション
１５…折り丁積重体
１７…送給及び重置装置
【図１】
0004122148.tif 000002
【図２】
0004122148.tif 000003
【図３】
0004122148.tif 000004